(57)【要約】      （修正有）【課題】本発明は、中高齢者が平坦な場所でつまずいた時の転倒を防ぐために靴底の先端に固着して用いる、つまずき時の転倒防止具を提供する。【解決手段】台形で左右の中央に上部からＶ字型の切り溝２を設けた、表面を滑りやすく加工したすべり材１にクッション材と剥離材を設けた接着部を設け、靴底４の先端に固着して用いることを特徴とするつまずき時の転倒防止具である。【選択図】図１
2007268229.tif 000002
【特許請求の範囲】
【請求項１】
台形で左右の中央に上部からＶ字型の切込みを設けた、表面を滑りやすく加工したすべり材にクッション材と剥離材を設けた接着部を設け、靴底の先端に固着して用いることを特徴とするつまずき時の転倒防止具。
【発明の詳細な説明】
【技術分野】
【０００１】  本発明は、中高齢者が平坦な場所でつまずいた時の転倒を防ぐために発明した靴底の先端に固着して用いる、つまずき時の転倒防止具に関するものである。
【背景技術】
【０００２】  従来、中高齢者が用いる靴の底の形状は大別すると、
▲１▼先端部に反りが無く、滑り止めの凹凸も踵の段差も無いもの。（図１４）
▲２▼先端部の反りと滑り止めの凹凸は無く、踵の段差があるもの。（図１５）
▲３▼先端部に反りが無く、滑り止めの凹凸はあるが踵の段差が無いもの。（図１６）
▲４▼先端部に反りが無く、滑り止めの凹凸と踵の段差があるもの。（図１７）
▲５▼先端部が若干反っていて、滑り止めの凹凸と踵の段差が無いもの。（図１８）
▲６▼先端部が若干反っていて、滑り止めの凹凸は無いが、踵の段差があるもの。（図１９）
▲７▼先端部が若干反っていて、滑り止めの凹凸はあるが・踵の段差が無いもの。（図２０）
▲８▼先端部が若干反っていて、滑り止めの凹凸と踵の段差があるもの。（図２１）
▲９▼先端部が大きく反っていて、滑り止めの凹凸はあるが・踵の段差が無いもの。（図２２）であり、
本発明に関係する靴底の先端だけの形状で見た場合
▲１０▼先端部の反りと滑り止めの凹凸が無いもの（図６）
▲１１▼先端部の反りは無く、滑り止めの凹凸はあるもの（図７）
▲１２▼先端部が若干反っていて、滑り止めの凹凸は無いもの（図８）
▲１３▼先端部が若干反っていて、滑り止めの凹凸があるもの（図９）
▲１４▼先端部が大きく反っていて、滑り止めの凹凸があるもの（図１０）−−−−−の５種となり、材質は全てがすべりを防止するものが使われている。
歩行動作については、
▲１５▼若者の場合は、軸足・けり足・重心移動のバランスが取れており、けり足の力もしっかりしているため歩幅も広く歩を進めることが出来る。（図１１）
▲１６▼中高年者の場合、老化に伴い足の筋肉も弱まり膝を曲げた状態で歩くためけり方が弱くなり歩幅も狭くなる。（図１２）
▲１７▼▲１６▼により軸足・けり足・重心移動のバランスが崩れやすく、けり足が軸足の後方で接地してしまうことがおきる。（図１３）（つまづきの原因）
【発明の開示】
【発明が解決しようとする課題】
【０００３】  そのために、次のような問題点があった。
（イ）中高齢者が、平坦な場所でつまずいて転倒する。
中高齢者が軸足・けり足・重心移動のバランスを崩し、けり足が軸足の後方で接地するときは、けり足のつま先が入角３０度見当で地面に当たる（図６〜図１０）ため、従来の靴底の形状や材質ではブレーがかかった様になり、続行する重心移動（図１３）のため前方へ転倒する。
転倒により寝たきりや車椅子生活を余儀なくされている方をよく見かける。
この事態は本人やその家族を苦しめるだけでなく、社会全体にとっても大きな問題となる。
本発明は以上の問題を解決するためのものである。
【課題を解決するための手段】
【０００４】▲１▼台形で左右の中央に上部からＶ字型の切込みを設けた、表面を滑りやすく加工したすべり材にクッション材と剥離材を設けた接着部を設け、靴底の先端に固着して用いることを特徴とするつまずき時の転倒防止具（図３〜図５）である。
【発明の効果】
【０００５】本発明により、
すべり材によって、つまずいても足が前方へすべるように移動し、けり足が軸足より前方に出るため転倒が防げた。（図２４）（傷害を未然に防止）
【発明を実施するための最良の形態】
【０００６】以下、本発明の実施の形態について説明する。
（イ）台形で表面を滑りやすく加工した超高分子量ポリエチレンのすべり材（１）の内側に、同型のクッション材（５）を張り合わせ、靴底（４）先端への接着を容易にするため、左右の中央に靴幅に合わせて接着できるようにするためのＶ字状の切り溝（２）を上部より設ける（図３、図４）。
すべり材（１）のクッション材（５）には、剥離材（７）を設けた接着材（６）を設けている。
本発明は、以上の構成よりなっている（図４、図５）。
これを使用するときは、
靴本体のつま先（３）の先端を入り角３０度で接地させ、接地ライン（１６）の踵側１０ミリのところに下弦を合わせ、剥離材（７）をはがし靴の先端を包むように靴底（４）に固着（図２４）する。
つまづく時、靴の先端が３０度位の斜方向から接地するが、その時台形で表面を滑りやすいポリエチレンを用いているので、抵抗が無く滑り、足が前方に出る（図２４）ので転倒を防ぐことが出来る。
また、本発明によるつまずき時の転倒防止具の材質・形状のものを靴底製造時に靴底（４）の先端に加工（図２５）してもよい。
【図面の簡単な説明】
【０００７】
【図１】本発明の使用説明図
【図２】本発明の装着説明図
【図３】本発明の正面図
【図４】本発明のａ−ｂ断面図
【図５】本発明のｃ−ｄ断面図
【図６】先端の反り無し、滑り止め無しの靴でつまずいた時の側面図
【図７】先端の反り無し、滑り止め有りの靴でつまずいた時の側面図
【図８】先端の反り有り、滑り止め無しの靴でつまずいた時の側面図
【図９】先端の反り有り、滑り止め有りの靴でつまずいた時の側面図
【図１０】先端に大きな反りが有り、滑り止めも有る靴でつまずいた時の側面図
【図１１】若年者の歩行説明図
【図１２】中高年者の歩行説明図
【図１３】つまずく時の歩行説明図
【図１４】従来品、靴底の先端部に反りが無く、滑り止めの凹凸も踵の段差も無いものの側面図。
【図１５】従来品、靴底の先端部の反りと滑り止めの凹凸は無く、踵の段差があるものの側面図。
【図１６】従来品、靴底の先端部に反りが無く、滑り止めの凹凸はあるが踵の段差が無いものの側面図。
【図１７】従来品、靴底の先端部に反りが無く、滑り止めの凹凸と踵の段差があるものの側面図。
【図１８】従来品、靴底の先端部が若干反っていて、滑り止めの凹凸と踵の段差が無いものの側面図。
【図１９】従来品、靴底の先端部が若干反っていて、滑り止めの凹凸は無いが踵の段差があるものの側面図。
【図２０】従来品、靴底の先端部が若干反っていて、滑り止めの凹凸はあるが踵の段差が無いものの側面図。
【図２１】従来品、靴底の先端部が若干反っていて、滑り止めの凹凸と踵の段差があるものの側面図。
【図２２】従来品、靴底の先端部が大きく反っていて、滑り止めの凹凸はあるが踵の段差が無いものの側面図
【図２３】つまずき時の転倒防止具の固着法説明図
【図２４】つまずき時の転倒防止具を固着した靴でつまずいた時の動作方向の説明図
【図２５】本発明の他の実施例を示す斜視図
【符号の説明】
【０００８】    １  すべり材
２  切り溝
３  靴本体のつま先
４  靴底
５  クッション材
６  接着剤
７  剥離材
８  つま先の接地部
９  地表
１０  軸足
１１  重心線
１２  蹴り足
１３  接地（つまずき）
１４  靴本体
１５  動作方向
１６  入り角３０度で接地した時の接地ライン
【図１】
2007268229.tif 000003
【図２】
2007268229.tif 000004
【図３】
2007268229.tif 000005
【図４】
2007268229.tif 000006
【図５】
2007268229.tif 000007
【図６】
2007268229.tif 000008
【図７】
2007268229.tif 000009
【図８】
2007268229.tif 000010
【図９】
2007268229.tif 000011
【図１０】
2007268229.tif 000012
【図１１】
2007268229.tif 000013
【図１２】
2007268229.tif 000014
【図１３】
2007268229.tif 000015
【図１４】
2007268229.tif 000016
【図１５】
2007268229.tif 000017
【図１６】
2007268229.tif 000018
【図１７】
2007268229.tif 000019
【図１８】
2007268229.tif 000020
【図１９】
2007268229.tif 000021
【図２０】
2007268229.tif 000022
【図２１】
2007268229.tif 000023
【図２２】
2007268229.tif 000024
【図２３】
2007268229.tif 000025
【図２４】
2007268229.tif 000026
【図２５】
2007268229.tif 000027